(57)【要約】【課題】電線の屈曲性が悪い場合であっても、コネクタカバーの寸法を増大させる必要がなく、結果的に、コネクタカバーを小型化することができるコネクタカバーの電線曲げ構造を提供すること。【解決手段】電線６１の端末部に取り付けられた端子６４よりも後方位置に電線６１の芯線６３を覆う絶縁被覆６２が一部区間除去された芯線露出部６８が形成された端子付き電線６０と、端子６４が収容されるコネクタハウジング２０の電線６１の引き出し側の端部に装着された状態で、コネクタハウジング２０から引き出された電線６１が芯線露出部６８で屈曲されるように曲げ方向を規制するコネクタカバー３０と、を有する。【選択図】図３
2018206665.tif 000002
【特許請求の範囲】
【請求項１】
電線の端末部に取り付けられた端子よりも後方位置に前記電線の芯線を覆う絶縁被覆が一部区間除去された芯線露出部が形成された端子付き電線と、
前記端子が収容されるコネクタハウジングの前記電線の引き出し側の端部に装着された状態で、前記コネクタハウジングから引き出された前記電線が前記芯線露出部で屈曲されるように曲げ方向を規制するコネクタカバーと、
を有することを特徴とするコネクタカバーの電線曲げ構造。
【請求項２】
前記芯線露出部は、
前記絶縁被覆に覆われた部分の前記芯線に比して前記芯線が平たく形成され、かつ、屈曲方向側が平らな面となるように形成されている
ことを特徴とする請求項１に記載のコネクタカバーの電線曲げ構造。
【発明の詳細な説明】
【技術分野】
【０００１】
本発明は、コネクタハウジングから引き出された電線がコネクタカバーによって屈曲されるように曲げ方向を規制されるコネクタカバーの電線曲げ構造に関する。
【背景技術】
【０００２】
従来、コネクタハウジングから引き出された端子付き電線の電線を保護するとともに電線の方向を規制する場合、コネクタハウジングの電線引き出し側の端部にコネクタカバーが装着される。
【０００３】
例えば、特許文献１には、電線曲げ空間を拡縮可能なコネクタカバーが記載さている。
【先行技術文献】
【特許文献】
【０００４】
【特許文献１】特開２０１３−１１００２５号公報
【発明の概要】
【発明が解決しようとする課題】
【０００５】
しかしながら、特許文献１に記載されたコネクタカバーは、例えば、電線の径が大きくなって屈曲性が悪くなると、コネクタカバー内の電線の曲げ空間を拡大する必要があり、結果的に、コネクタカバーの寸法が大きくなってしまう問題があった。
【０００６】
本発明は、上記に鑑みてなされたものであって、電線の屈曲性が悪い場合であっても、コネクタカバーの寸法を増大させる必要がなく、結果的に、コネクタカバーを小型化することができるコネクタカバーの電線曲げ構造を提供することを目的とする。
【課題を解決するための手段】
【０００７】
上述した課題を解決し、目的を達成するために、本発明の請求項１に係るコネクタカバーの電線曲げ構造は、電線の端末部に取り付けられた端子よりも後方位置に前記電線の芯線を覆う絶縁被覆が一部区間除去された芯線露出部が形成された端子付き電線と、前記端子が収容されるコネクタハウジングの前記電線の引き出し側の端部に装着された状態で、前記コネクタハウジングから引き出された前記電線が前記芯線露出部で屈曲されるように曲げ方向を規制するコネクタカバーと、を有することを特徴とする。
【０００８】
また、本発明の請求項２に係るコネクタカバーの電線曲げ構造は、上記の発明において、前記芯線露出部は、前記絶縁被覆に覆われた部分の前記芯線に比して前記芯線が平たく形成され、かつ、屈曲方向側が平らな面となるように形成されていることを特徴とする。
【発明の効果】
【０００９】
本発明の請求項１に係るコネクタカバーの電線曲げ構造は、前記コネクタカバーが前記コネクタハウジングから引き出された前記電線の芯線を覆う絶縁被覆が一部区間除去された前記芯線露出部を屈曲されるように曲げ方向を規制しているので、前記電線の屈曲半径を小さくすることができ、前記電線の屈曲性が悪い場合であっても、前記コネクタカバーの寸法を増大させる必要がなく、結果的に、前記コネクタカバーを小型化することができる。
【００１０】
本発明の請求項２に係るコネクタカバーの電線曲げ構造は、前記芯線露出部が前記絶縁被覆に覆われた部分の前記芯線に比して前記芯線が平たく形成され、かつ、屈曲方向側が平らな面となるように形成されているので、前記芯線露出部が前記絶縁被覆が除去されただけの状態に比してさらに屈曲され易くなり、前記電線の屈曲半径をより小さく抑えることができ、結果的に、前記コネクタカバーをより小型化することができる。
【図面の簡単な説明】
【００１１】
【図１】図１は、本発明の実施例に係るコネクタカバーの電線曲げ構造を含むコネクタカバーがコネクタに装着されたカバー装着コネクタの斜視図である。
【図２】図２は、カバー装着コネクタの正面図である。
【図３】図３は、図２に示したカバー装着コネクタのＡ―Ａ線断面図である。
【図４】図４は、コネクタカバーによって屈曲された状態の端子付き電線を示した図である。
【図５】図５は、（ａ）が絶縁被覆を除去することによって電線に芯線露出部を形成する前の端子付き電線の側面図であり、（ｂ）が絶縁被覆を除去することによって電線に芯線露出部を形成した端子付き電線の側面図である。
【図６】図６は、本発明の実施例２に係るコネクタカバーの電線曲げ構造を含むコネクタカバーがコネクタに装着されたカバー装着コネクタの断面図である。
【図７】図７は、コネクタカバーによって屈曲された状態の端子付き電線を示した図である。
【図８】図８は、（ａ）が絶縁被覆を除去することによって電線に芯線露出部を形成する前の端子付き電線の側面図であり、（ｂ）が絶縁被覆を除去することによって電線に芯線露出部を形成した端子付き電線の側面図であり、（ｃ）が芯線露出部に露出された芯線を平らに成形した芯線露出部を形成した端子付き電線の側面図である。
【図９】図９は、実施例２の端子付き電線と電線の屈曲方向が異なる端子付き電線の芯線露出部の平らな面の向きを説明するための図である。
【発明を実施するための形態】
【００１２】
以下、図面を参照して、本発明に係るコネクタカバーの電線曲げ構造の好適な実施例を詳細に説明する。
【実施例１】
【００１３】
図１は、本発明の実施例に係るコネクタカバーの電線曲げ構造１を含むコネクタカバー３０がコネクタ１０に装着されたカバー装着コネクタ１００の斜視図である。図２は、カバー装着コネクタ１００の正面図である。図３は、図２に示したカバー装着コネクタ１００のＡ―Ａ線断面図である。図４は、コネクタカバー３０によって屈曲された状態の端子付き電線６０を示した図である。図５は、（ａ）が絶縁被覆６２を除去することによって電線６１に芯線露出部６８を形成する前の端子付き電線６０の側面図であり、（ｂ）が絶縁被覆６２を除去することによって電線６１に芯線露出部６８を形成した端子付き電線６０の側面図である。
本発明の実施例１に係るコネクタカバーの電線曲げ構造１は、コネクタハウジング２０から引き出された端子付き電線６０の電線６１を保護するとともに電線６１の方向を規制するため、コネクタハウジング２０の電線引き出し側の端部に装着されるコネクタカバー３０によってコネクタハウジング２０から引き出された電線６１を所定の方向に曲げる構造である。
【００１４】
このコネクタカバーの電線曲げ構造１は、電線６１の端末部に取り付けられた端子６４よりも後方位置に電線６１の芯線６３を覆う絶縁被覆６２が一部区間除去された芯線露出部６８が形成された端子付き電線６０と、端子６４が収容されるコネクタハウジング２０の電線６１の引き出し側の端部に装着された状態で、コネクタハウジング２０から引き出された電線６１が芯線露出部６８で屈曲されるように曲げ方向を規制するコネクタカバー３０と、を有する。
【００１５】
まず、コネクタカバーの電線曲げ構造１を含むコネクタカバー３０がコネクタ１０に装着されたカバー装着コネクタ１００について説明する。
カバー装着コネクタ１００は、コネクタ１０と、コネクタ１０に装着されるコネクタカバー３０と、を有する。
【００１６】
コネクタ１０は、コネクタハウジング２０と、コネクタハウジング２０内に収容された端子６４とを有する。
コネクタハウジング２０は、絶縁性の樹脂材からなるブロック状をなし、図３に示すように、内部に端子６４の挿入口側となる一端側から、不図示の相手端子が挿入される開口が設けられる側となる他端側まで貫通された空間に端子収容室２１が設けられている。
【００１７】
端子収容室２１は、端子６４を端子収容室２１内のセット完了位置で係止する弾性係止片２１ａが設けられている。
【００１８】
端子６４は、相手端子との接続部分となる相手端子接続部６５と、電線６１の端末部に圧着される部分となる電線圧着部６６と、相手端子接続部６５と電線圧着部６６との間を連結する連結部６７と、を有する。
【００１９】
相手端子接続部６５は、内部に設けられた弾性接触片６５ａを囲い、かつ、先端に相手端子が挿入される開口が形成された箱型形状になっている。
【００２０】
電線圧着部６６は、芯線６３に圧着される芯線圧着部６６ａと、芯線６３の外周を覆う絶縁被覆６２に圧着される被覆圧着部６６ｂと、を有する。
【００２１】
なお、電線６１は、導電材からなる複数の素線６３ａが束ねられた芯線６３と、芯線６３の外周を覆う絶縁材である絶縁被覆６２と、を有し、先端部の絶縁被覆６２が除去されることによって露出された芯線６３に芯線圧着部６６ａが圧着されるようになっている。
なお、この実施例１では、芯線６３が複数の素線６３ａを束ねてなるものを例示したが、これに限らず、芯線６３は、１本の導電線であってもよい。
【００２２】
このような電線６１の端末部に端子６４が圧着された端子付き電線６０は、図５に示すように、電線６１の端末部に取り付けられた端子６４よりも後方位置に電線６１の芯線６３を覆う絶縁被覆６２が一部区間除去された芯線露出部６８が形成されている。
芯線露出部６８は、絶縁被覆６２が除去されることによって芯線６３が露出された部分になっている。
【００２３】
コネクタカバー３０は、端子６４が収容されるコネクタハウジング２０の電線６１の引き出し側の端部に装着された状態で、コネクタハウジング２０から引き出された電線６１が芯線露出部６８で屈曲されるように曲げ方向を規制するものである。
【００２４】
このコネクタカバー３０は、絶縁性の樹脂材からなり、コネクタハウジング２０に固定される部分となるハウジング固定部４０と、コネクタハウジング２０から引き出された電線６１を囲う壁であり、壁の内面によって電線６１の方向を規制する電線方向規制部５０と、を有する。
【００２５】
ハウジング固定部４０は、コネクタカバー３０がコネクタハウジング２０に装着完了された状態で、コネクタハウジング２０の両側面側に迫り出した状態で配置される一対の固定壁４１、４１を有する。
【００２６】
このハウジング固定部４０は、一対の固定壁４１、４１によってコネクタハウジング２０を両側面側から挟み込むようになっている。コネクタカバー３０とコネクタハウジング２０とは、不図示の係合手段により係合されることにより固定されている。
【００２７】
電線方向規制部５０は、コネクタハウジング２０の電線引き出し側の端面に当接され、コネクタハウジング２０から引き出された電線６１を側方側から囲う一対の側壁５１、５１と、一対の側壁５１、５１の間を上部側から背面側まで曲面形状の壁で連続し、電線を誘導するための曲面形状の壁内面を形成した曲がり壁５２と、を有する。
【００２８】
曲がり壁５２は、コネクタハウジング２０から引き出された電線６１を、図３中、下方に向けて屈曲させるように誘導する壁である。
この曲がり壁５２は、コネクタハウジング２０から引き出された電線６１が芯線露出部６８で屈曲されるように曲げ方向を規制するようになっている。
すなわち、曲がり壁５２は、電線６１の屈曲部分が絶縁被覆６２を除去されていない状態で屈曲されるよりも絶縁被覆６２が除去された状態で屈曲されるほうが屈曲半径を小さく抑えることができることを利用して、屈曲半径を小さく抑えて壁を構成することができるようになっている。
これにより、コネクタカバー３０の幅Ｗ１（図３参照）を小さく抑えることができ、コネクタカバー３０を小型化することができるようになっている。
【００２９】
本発明の実施例１に係るコネクタカバーの電線曲げ構造１は、コネクタカバー３０がコネクタハウジング２０から引き出された電線６１の芯線６３を覆う絶縁被覆６２が一部区間除去された芯線露出部６８を屈曲されるように曲げ方向を規制しているので、電線６１の屈曲半径を小さくすることができ、電線６１の屈曲性が悪い場合であっても、コネクタカバー３０の寸法を増大させる必要がなく、結果的に、コネクタカバー３０を小型化することができる。
【実施例２】
【００３０】
次に、図６−９を用いて、本発明の実施例２に係るコネクタカバーの電線曲げ構造２について説明する。
図６は、本発明の実施例２に係るコネクタカバーの電線曲げ構造２を含むコネクタカバー３０がコネクタ１０に装着されたカバー装着コネクタ１００の断面図である。図７は、コネクタカバー３０によって屈曲された状態の端子付き電線７０を示した図である。図８は、（ａ）が絶縁被覆６２を除去することによって電線６１に芯線露出部６９を形成する前の端子付き電線の側面図であり、（ｂ）が絶縁被覆６２を除去することによって電線６１に芯線露出部６８を形成した端子付き電線７０の側面図であり、（ｃ）が芯線露出部６８に露出された芯線６３を平らに成形した芯線露出部６９を形成した端子付き電線７０の側面図である。図９は、実施例２の端子付き電線７０と電線６１の屈曲方向が異なる端子付き電線７０の芯線露出部６９の平らな面６９ａの向きを説明するための図である。
この実施例２のコネクタカバーの電線曲げ構造２は、芯線露出部６８が平らに形成されている点で、実施例１のコネクタカバーの電線曲げ構造１と異なる。
なお、その他の構成は実施例１と同様であり、実施例１と同一構成部分には同一符号を付しその説明を省略している。
【００３１】
本発明の実施例２に係るコネクタカバーの電線曲げ構造２は、図６および図７に示すように、芯線露出部６９が絶縁被覆６２に覆われた部分の芯線６３に比して芯線６３が平たく形成され、かつ、屈曲方向（図６、７中、矢印Ｄ方向）側が平らな面６９ａとなるように形成されている。
【００３２】
端子付き電線６０は、図８に示すように、電線６１の端末部に取り付けられた端子６４よりも後方位置に電線６１の芯線６３を覆う絶縁被覆６２が一部区間除去された芯線露出部６８が形成された後（図８（ｂ）参照）、芯線露出部６８で露出された芯線６３がアンビル、クリンパ等の治具を用いて平たく加工されることによって芯線露出部６９が形成される（図８（ｃ）参照）。
【００３３】
コネクタカバー３０は、曲がり壁５２が、図６に示すように、平たく形成されて曲げ易くなった芯線露出部６９を屈曲するように電線６１の方向を規制している。
このため、電線６１は、屈曲半径を小さく抑えて屈曲することができるので、それに対応して、コネクタカバー３０は、屈曲半径を小さく抑えた曲がり壁５２を構成することができる。
【００３４】
これにより、コネクタカバー３０の幅Ｗ２を小さく抑えることができ、コネクタカバー３０を小型化することができるようになっている。
なお、この実施例２のコネクタカバー３０の幅Ｗ２は実施例１のコネクタカバー３０の幅Ｗ１よりもさらに小さくすることができるようになっている。
【００３５】
なお、この実施例２では、端子付き電線７０の電線６１の屈曲方向が図６中下方に向けたものであったが、例えば、図６の紙面奥側に屈曲される場合、芯線露出部６９は、図９に示すように、屈曲方向側が平らな面６９ａとなるように形成される。
【００３６】
本発明の実施例２係るコネクタカバーの電線曲げ構造２は、芯線露出部６９が絶縁被覆６２に覆われた部分の芯線６３に比して芯線６３が平たく形成され、かつ、屈曲方向側が平らな面６９ａとなるように形成されているので、芯線露出部６９が絶縁被覆６２が除去されただけの状態に比してさらに屈曲され易くなり、電線６１の屈曲半径をより小さく抑えることができ、結果的に、コネクタカバー３０をより小型化することができる。
【００３７】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００３８】
１、２        コネクタカバーの電線曲げ構造
１０          コネクタ
２０          コネクタハウジング
２１          端子収容室
２１ａ        弾性接触片
３０          コネクタカバー
４０          ハウジング固定部
４１          固定壁
５０          電線方向規制部
５１          側壁
５２          曲がり壁
６０、７０    端子付き電線
６１          電線
６２          絶縁被覆
６３          芯線
６３ａ        素線
６４          端子
６５          相手端子接続部
６５ａ        弾性接触片
６６          電線圧着部
６６ａ        芯線圧着部
６６ｂ        被覆圧着部
６７          連結部
６８、６９    芯線露出部
６９ａ        平らな面
１００        カバー装着コネクタ
【図１】
2018206665.tif 000003
【図２】
2018206665.tif 000004
【図３】
2018206665.tif 000005
【図４】
2018206665.tif 000006
【図５】
2018206665.tif 000007
【図６】
2018206665.tif 000008
【図７】
2018206665.tif 000009
【図８】
2018206665.tif 000010
【図９】
2018206665.tif 000011